(57)【特許請求の範囲】
【請求項１】
環境条件に関する複数種類のデータを得る複数のセンサーと、
前記複数のセンサーが出力する前記複数種類のデータの組み合わせにもとづいて、表示装置の動作条件を制御する制御部とを備え、
前記動作条件が冷却強度を含んでおり、
前記環境条件が、温度、降雨量、および風量を含んでおり、
前記制御部は、前記冷却強度を、前記温度の増加関数、前記降雨量の減少関数、前記風量の減少関数、および画面の輝度の増幅率の増加関数として設定することを特徴とする表示制御装置。
【請求項２】
前記環境条件が、風向をさらに含んでおり、
前記制御部は、前記風量に対する前記冷却強度の減少の度合いが、前記表示装置の部位と前記風向とに依存するように、前記冷却強度を前記表示装置の前記部位ごとに設定することを特徴とする請求項１に記載の表示制御装置。
【請求項３】
環境条件に関する複数種類のデータを得る複数のセンサーと、
前記複数のセンサーが出力する前記複数種類のデータの組み合わせにもとづいて、表示装置の動作条件を制御する制御部とを備え、
前記動作条件が画面の輝度を含んでおり、
前記環境条件が、照度および降雨量を含んでおり、
前記制御部は、前記画面の輝度の増幅率を、前記照度の増加関数、および前記降雨量の増加関数として設定することを特徴とする表示制御装置。
【請求項４】
前記環境条件が、時刻および方角をさらに含んでおり、
前記制御部は、前記照度、前記降雨量、前記時刻、および前記方角の関数として、前記画面への外光の影響度を算出し、当該影響度を因子として含むように前記増幅率を設定することを特徴とする請求項３に記載の表示制御装置。
【請求項５】
前記環境条件が、消費電力および温度をさらに含んでおり、
前記制御部は、前記消費電力および前記温度の組み合わせに対する許容範囲を設定し、前記組み合わせが前記許容範囲を超えたときには、前記増幅率を一定以下に抑えることを特徴とする請求項３に記載の表示制御装置。
【請求項６】
環境条件に関する複数種類のデータを得る複数のセンサーと、
前記複数のセンサーが出力する前記複数種類のデータの組み合わせにもとづいて、表示装置の動作条件を制御する制御部とを備え、
前記動作条件が画面の色度を含んでおり、
前記環境条件が、照度、降雨量、時刻および方角を含んでおり、
前記制御部は、前記照度、前記降雨量、前記時刻、および前記方角の関数として、前記画面への外光の影響度を算出し、画像信号に対する前記画面の輝度の増幅率の原色間の割合を、前記影響度を因子として含む度合いをもって変更することを特徴とする表示制御装置。
【請求項７】
環境条件に関する複数種類のデータを得る複数のセンサーと、
前記複数のセンサーが出力する前記複数種類のデータの組み合わせにもとづいて、表示装置の動作条件を制御する制御部とを備え、
前記動作条件がバナーの長さを含んでおり、
前記環境条件が、照度、時刻、および方角を含んでおり、
前記制御部は、前記照度、前記時刻、および前記方角の関数として、画面への外光の影響度を算出し、前記影響度を因子として含むように前記バナーの長さを設定することを特徴とする表示制御装置。
【請求項８】
請求項１ないし請求項７のいずれかに記載の表示制御装置を備え、動作条件が当該表示制御装置によって制御される表示装置。
【発明の詳細な説明】
【０００１】
【発明の属する技術分野】
この発明は、ＬＥＤ（発光ダイオード）表示装置、プラズマディスプレイ装置などのフラットパネル型の表示装置に好適な、表示装置およびその制御を行う表示制御装置に関し、特に、環境条件に高度に適合した動作条件を自動的に実現するための改良に関する。
【０００２】
【従来の技術】
従来のＬＥＤ表示装置では、輝度、冷却強度、および画質の制御は、ある１つの環境データにもとづいて行われていた。例えば、特開平１０−１８７０９６号公報には、輝度の制御に関して、ＬＥＤ表示装置に取付けられた照度センサーからのデータの値が高ければ輝度を高めるなど、周囲の明るさに応じて輝度を調整する技術が開示されている。また、特開平７−３３４０９５号公報には、冷却強度の制御に関して、ＬＥＤ表示装置に取付けられた温度センサーからのデータの値が高ければ、表示装置に内蔵される冷却用のファンの個数を増やすなど、周囲の温度に応じて冷却強度を調整する技術が開示されている。
【０００３】
【発明が解決しようとする課題】
しかしながら、特に、環境条件が多様でかつ変化の激しい屋外で表示装置が使用される場合には、環境条件に関する１種類のデータのみ（例えば、照度のみ、温度のみなど）にもとづいて、輝度、冷却強度等を制御するのでは、視覚の上で適切な画質の実現、および表示装置の信頼性の維持の面で、最適な制御が果たせるとは云えない。また、環境条件に応じて放映内容を自動的に制御する技術は、従来知られていなかった。
【０００４】
この発明は、従来の技術における上記した問題点を解消するためになされたもので、環境条件に高度に適合した動作を実現する表示制御装置を得ることを目的としており、さらに当該表示制御装置を備える表示装置を提供することを目的とする。
【０００５】
【課題を解決するための手段】
第１の発明の装置は、表示制御装置であって、環境条件に関する複数種類のデータを得る複数のセンサーと、前記複数のセンサーが出力する前記複数種類のデータの組み合わせにもとづいて、表示装置の動作条件を制御する制御部とを備え、前記動作条件が冷却強度を含んでおり、前記環境条件が、温度、降雨量、および風量を含んでおり、前記制御部は、前記冷却強度を、前記温度の増加関数、前記降雨量の減少関数、前記風量の減少関数、および画面の輝度の増幅率の増加関数として設定する。
【００１２】
第２の発明の装置では、第１の発明の表示制御装置において、前記環境条件が、風向をさらに含んでおり、前記制御部は、前記風量に対する前記冷却強度の減少の度合いが、前記表示装置の部位と前記風向とに依存するように、前記冷却強度を前記表示装置の前記部位ごとに設定する。
【００１３】
第３の発明の装置は、表示制御装置であって、環境条件に関する複数種類のデータを得る複数のセンサーと、前記複数のセンサーが出力する前記複数種類のデータの組み合わせにもとづいて、表示装置の動作条件を制御する制御部とを備え、前記動作条件が画面の輝度を含んでおり、前記環境条件が、照度および降雨量を含んでおり、前記制御部は、前記画面の輝度の増幅率を、前記照度の増加関数、および前記降雨量の増加関数として設定する。
【００１４】
第４の発明の装置では、第３の発明の表示制御装置において、前記環境条件が、時刻および方角をさらに含んでおり、前記制御部は、前記照度、前記降雨量、前記時刻、および前記方角の関数として、前記画面への外光の影響度を算出し、当該影響度を因子として含むように前記増幅率を設定する。
【００１５】
第５の発明の装置では、第３の発明の表示制御装置において、前記環境条件が、消費電力および温度をさらに含んでおり、前記制御部は、前記消費電力および前記温度の組み合わせに対する許容範囲を設定し、前記組み合わせが前記許容範囲を超えたときには、前記増幅率を一定以下に抑える。
【００１６】
第６の発明の装置は、表示制御装置であって、環境条件に関する複数種類のデータを得る複数のセンサーと、前記複数のセンサーが出力する前記複数種類のデータの組み合わせにもとづいて、表示装置の動作条件を制御する制御部とを備え、前記動作条件が画面の色度を含んでおり、前記環境条件が、照度、降雨量、時刻および方角を含んでおり、前記制御部は、前記照度、前記降雨量、前記時刻、および前記方角の関数として、前記画面への外光の影響度を算出し、画像信号に対する前記画面の輝度の増幅率の原色間の割合を、前記影響度を因子として含む度合いをもって変更する。
【００１７】
第７の発明の装置は、表示制御装置であって、環境条件に関する複数種類のデータを得る複数のセンサーと、前記複数のセンサーが出力する前記複数種類のデータの組み合わせにもとづいて、表示装置の動作条件を制御する制御部とを備え、前記動作条件がバナーの長さを含んでおり、前記環境条件が、照度、時刻、および方角を含んでおり、前記制御部は、前記照度、前記時刻、および前記方角の関数として、画面への外光の影響度を算出し、前記影響度を因子として含むように前記バナーの長さを設定する。
【００１９】
第８の発明の装置は、表示装置であって、第１ないし第７のいずれかの発明の表示制御装置を備え、動作条件が当該表示制御装置によって制御される。
【００２０】
なお、本発明において、増加関数とは変数の増加にともなって増加する領域が存在し、逆に減少する領域が存在しない関数を広く意味する。すなわち、増加関数には、変数の変化に依存しない領域が存在しても良い。同様に、減少関数とは変数の増加にともなって減少する領域が存在し、逆に増加する領域が存在しない関数を広く意味する。すなわち、減少関数には、変数の変化に依存しない領域が存在しても良い。
【００２１】
【発明の実施の形態】
実施の形態の概略．
図１は、本実施の形態の表示装置の全体構成を示すブロック図である。この表示装置１００は、ＬＥＤ表示装置として構成され、本体部１０３および表示制御装置１０１を備えている。本体部１０３は、ＬＥＤを発光素子として備え映像を表示する画面（スクリーン）５０、画面５０等を冷却するファン５１、および音声を出力するスピーカ５５を備えている。
【００２２】
表示制御装置１０１は、表示装置１００の動作条件（より厳密には、表示装置１００から表示制御装置１０１を除いた本体部１０３の動作条件）を環境条件に適応するよう制御するための装置として構成されており、環境データ収集部１、データ変換器２、データ比較器３、および制御回路４を備えている。環境データ収集部１は、環境条件に関する複数種類のデータを得る複数のセンサー１１１〜１２２を備えている。データ変換器２、データ比較器３、および制御回路４は、センサー１１１〜１２２が出力する複数種類のデータの組み合わせにもとづいて、表示装置１００の動作条件を制御する制御部１０２を構成している。
【００２３】
照度センサー１１１は、表示装置１００の周囲における日照等による照度を検出する。降雨センサ１１２は、降雨量を検出し、最も簡素には、２段階の降雨量すなわち降雨の有無を検出する。温度センサー１１３は、表示装置１００の内部の温度を検出する。騒音センサー１１４は、表示装置１００の周囲の騒音を検出する。風向センサー１１５は、表示装置１００の周囲における風向を検出する。風量センサー１１６は、表示装置１００の周囲における風量を検出する。時刻センサー１１７は、時刻を検出する時計である。気圧センサー１１８は表示装置１００の周囲における気圧を検出する。方角センサー１１９は、表示装置１００の画面５０が向いている方角を検出するセンサであり、例えば磁石を備えている。
【００２４】
振動センサー１２０は、表示装置１００もしくはその設置部位、またはその近傍の大地の振動を検出するセンサーであり、例えば地震計である。有害ガスセンサー１２１は、表示装置１００の周囲の大気における排気ガスなどの有害ガスの濃度を検出するセンサーであり、最も簡素には、２段階の有害ガス濃度すなわち有害ガスの有無を検出する。消費電力センサー１２２は、表示装置１００が消費する電力を検出する。本明細書では、表示装置１００の消費電力も、環境条件の一つとして取り扱われる。
【００２５】
図２は、各センサーの好ましい取り付け位置を示す配置図である。例えば、振動センサー１２０、気圧センサー１１８、および有害ガスセンサー１２１は、表示装置本体部１０３の外側表面の端部あるいはその近傍に設置される。これに対して、降雨センサー１１２、風向センサー１１５、および風量センサー１１６は、本体部１０３の外側表面の中央部に設置される。
【００２６】
温度センサー１１３は、本体部１０３の内部の上段、中段、および下段に、分割配置されることにより、本体部１０３の内部における温度を検出する。検出される温度は、本体部１０３の内部における気温であってもよく、あるいは本体部１０３自体の温度、例えばＬＥＤ画面の温度であってもよい。本体部１０３の内部の温度は、通常において上段と下段との間で異なるので、温度センサー１１３は複数個に分割配置されるのが望ましい。
【００２７】
照度センサー１１１および騒音センサー１１４は、本体部１０３の外側の左右両端部ないしその近傍に設置される。また、消費電力センサー１２２は、表示装置１００の電源入力部（図示を略する）の近傍に設置するのが望ましい。以上のように各センサーを配置することにより、表示装置１００の内部あるいは周囲における、全体的あるいは部分的な環境条件を正確に把握することが可能となる。
【００２８】
一般に、表示装置１００の外観を良くし、各センサーの取り付け作業を容易化する観点からは、各センサーは本体部１０３の外側に配置するのが望ましい。特に、表示装置１００の周囲の環境条件を検知する降雨センサー１１２、風向センサー１１５など、あるいは表示装置１００の内部と外部とで相違のない環境条件を検知する振動センサー１２０、気圧センサー１１８などは、本体部１０３の外側に配置するのが望ましい。一方、表示装置１００の外部と相違する内部の環境条件を検知する温度センサー１１３などは、本体部１０３の内部へ設置するのが望ましい。
【００２９】
データ変換器２は、環境データ収集部１の各センサーから出力されるデータ９１を、動作条件の制御に適したデータ９２へ変換する。図３および図４に、変換の例を示す。図３は、温度センサー１１３が出力するデータと、データ変換器２による変換後のデータとの関係を示すグラフである。図３の例では、変換後のデータは、温度を表現するデータの上昇にともなって、３個の閾値を境として４段階に変化している。
【００３０】
段階数は、必要に応じて様々に設定可能である。例えば、変換後の温度データを、温度データが−１０〜５０℃である範囲で、"0.5”の一定値に設定することも可能である。閾値の設定基準は、画面５０を構成する表示素子（ＬＥＤ）の駆動条件や温度特性、あるいは表示装置１００の電源容量など個々の要素の温度特性を考慮して決定される。降雨データ、照度データ、風量データ、および騒音データ等も、例えば温度データと同じ要領で変換される。
【００３１】
図４の例では、変換後のデータは、有害ガスの濃度を表現するデータの上昇にともなって、単一の閾値を境にとして２段階に変化している。すなわち、有害ガスの濃度が、あるレベル以上になると"1"が出力され、それ未満では"0"が出力される。図４の例においても、閾値は自由に設定可能であり、例えば表示装置１００の使用環境と、有害ガスデータの人間に対する影響度とを考慮して決定される。振動データ、および気圧データ等も、例えば有害ガスデータと同じ要領で変換される。
【００３２】
風向データ、時刻データ、および方角データについては、年間の気象情報を参照することにより、画面５０の正面から太陽光が照射されているなど、画面５０の輝度や画質に影響を与える度合いを表すデータへと変換される。その詳細については、後述する。
【００３３】
データ比較器３は、データ変換器２から出力されるデータ９２を受信し、データ９２に様々な演算を実行することにより、それらの関数としての制御信号９３を出力する。制御回路４は、制御信号９３にもとづいて、本体部１０３の各要素を駆動制御する駆動信号９４を出力する。
【００３４】
冷却制御回路４１は、ファン５１を制御する。輝度制御回路４２は、画面５０の輝度５２（装置の要素名ではないが、便宜のために、制御対象に符号を付する）を制御する。画質制御回路４３は、画面５０の色度とバナー５３（上記同様、制御対象に符号を付する）を制御する。バナーは、画面５０に設けられた庇（ひさし）であり、太陽光などの外光が反射することにより画面５０が光って見えにくくなる現象を抑える働きがある。バナーは長さを変えることによって、遮光の度合い変えることが可能である。
【００３５】
放映内容制御回路４４は、画面５０に表示される放映内容５４（上記同様、制御対象に符号を付する）およびスピーカ５５から出力される音量を制御する。例えば、図４の例において、変換後の有害ガスデータが"0"であるときには、通常の放映内容が表示され、"0"から"1"へ転じると、有害ガス濃度を報知する放映内容へと切り替えられる。すなわち、環境データに「雨が降り始めた」、「排気ガスの濃度が高い」、「騒音が大きい」などの異変が発生したときに、あらかじめスケジューリングされた放映プログラムへの割りこみが行われ、天気予報、警告表示、リプレイなどの視聴者のニーズの高い内容へと、放映内容が自動的に切り替えられる。
【００３６】
以下の各実施の形態では、ファンの制御による冷却強度の制御（実施の形態１）、画面５０の輝度５２の制御（実施の形態２）、画面５０の色度の制御（実施の形態３）、画面５０のバナーの長さの制御（実施の形態４）、画面５０への放映内容の制御（実施の形態５）、および、音量の制御（実施の形態６）について、詳細に説明する。
【００３７】
なお、実施の形態においては、表示装置１００がＬＥＤ表示装置として構成される例を採り上げるが、本発明の装置はこの例に限定されるものではない。
【００３８】
実施の形態１．
図５は、比較器３および制御回路４の中で、画面５０の輝度５２の制御とファン５１の制御に関する部分の構成例を示すブロック図である。図５が示すように、比較器３は、冷却用データ比較器３１および輝度用データ比較器３２を備えており、制御回路４は、冷却制御回路４１および輝度制御回路４２を備えている。冷却用データ比較器３１は、データ変換器２から出力される降雨データ、温度データ、風量データ、および風向データ、さらに輝度用データ比較器３２から出力される輝度制御信号１３２にもとづいて、冷却制御信号１３１を生成する。冷却制御信号１３１および輝度制御信号１３２は、制御信号９３（図１）に属する。冷却制御信号１３１の値は、つぎの式１で与えられる。
【００３９】
冷却制御信号＝冷却強度係数×｛輝度制御信号×温度データ／（降雨データ＋風量データ）｝  ・・・・（式１）
【００４０】
すなわち、冷却制御信号１３１は、冷却強度を強めるべき要因である輝度データと温度データを、冷却強度を弱めるべき要因である降雨データと風量データの和で除算し、その結果にあらかじめ設定された冷却強度係数を乗算することによって得られる。輝度制御信号１３２は、画像信号に対する画面５０の輝度の増幅率を設定する信号である。
【００４１】
式１以外の形態を採ることも可能である。例えば、式１をある程度一般化して、画面５０の輝度と表示装置１００の内部の温度上昇とにともなって冷却強度を高めると同時に、降雨量と風量の影響をも加味した形態が採用可能である。降雨量が高い（すなわち、表示装置１００の外部が大雨と予想される）場合には、輝度および温度が高くても、降雨により外部からの冷却が期待されるため、冷却強度をさほどに高くする必要がない。逆に、降雨量が低い場合には、外部からの冷却効果が期待できないため、表示装置１００の内部の温度上昇にともなって早めに冷却強度を高める必要がある。同様に、風量が高い場合も外部からの冷却が期待されるため、冷却強度を抑制することができる。冷却制御信号１３１は、これらの効果を反映した形式で設定される。
【００４２】
すなわち一般に、冷却制御信号１３１は、データ９２（図１）の関数であって、温度データの増加関数、降雨データの減少関数、および風量データの減少関数であり、さらに画像信号に対する画面５０の輝度の増幅率の増加関数として設定される。このことは、各センサーが出力するデータ９１（図１）を用いても、同様に表現される。
【００４３】
「課題を解決するための手段」の項目の中に明記しているように、増加関数とは変数の増加にともなって増加する領域が存在し、逆に減少する領域が存在しない関数を広く意味しており、変数の変化に依存しない領域が存在しても良い。減少関数においても同様である。したがって、データ９１とデータ９２との間に、図３または図４が例示したような階段状の関係が設定されていても、冷却制御信号は、変換前のデータ９１に属する温度データ、降雨データ、および風量データを用いて、温度データの増加関数、降雨データの減少関数、および風量データの減少関数であり、さらに輝度の増幅率の増加関数である、と表現することも可能である。
【００４４】
一般に、制御信号９３とデータ９２との間の増加関数あるいは減少関数の関係は、そのまま、制御信号９３とデータ９１との間にも成り立つ。したがって、以下では制御信号９３とデータ９１の間での増加関数あるいは減少関数の関係については、説明を略する。
【００４５】
図６は冷却制御回路４１の内部構成を示すブロック図である。冷却制御回路４１は、ファン用インバータ制御回路４１１とファン用スイッチ制御回路４１２とを備えている。ファン用インバータ制御回路４１１は、冷却制御信号１３１の値に応じて、内蔵する可変抵抗の抵抗値を変更し、それによってファン５１の回転数を制御する。
【００４６】
ファン用スイッチ制御回路４１２は、冷却制御信号１３１の値に応じて、内蔵するスイッチをオン・オフすることにより、回転駆動されるファン５１の個数を制御する。すなわち、図６の中にフローチャートの形式で制御手順を記載するように、冷却制御信号１３１の値が高い場合には、ファン５１のすべてを駆動する全駆動を行い、逆に値が低い場合には、一部のファン５１のみを駆動する間引き駆動を行う。
【００４７】
図７は、ファン用スイッチ制御回路４１２に内蔵されるスイッチとファン５１との接続関係を示す回路図である。スイッチ７をオン・オフすることにより、例えば５個のファン５１の中のすべての駆動、および２個のみの駆動のいずれかが選択的に実現する。
【００４８】
例えば、ファン用インバータ制御回路４１１によるファン５１の回転数の制御が、２段階で行われ、ファン用スイッチ制御回路４１２による動作するファン５１の個数の制御が２段階で行われる場合には、二つの制御回路４１１，４１２はつぎのように動作する。すなわち、冷却制御信号１３１に対して３個の異なる基準値が設定され、基準値を境として、(1) 間引き駆動で、かつ遅い回転数、(2) 全駆動で、かつ遅い回転数、(3) 間引き駆動で、かつ速い回転数、および(4) 全駆動で、かつ速い回転数、の４段階の制御が行われる。
【００４９】
このように、冷却制御回路４１は、動作するファン５１の個数と、動作するファン５１の回転数との双方を制御することにより、木目の細かい冷却強度の制御を実現する。また、環境条件（降雨量、風量、温度）のみならず、動作条件（輝度の増幅率）に応じて、ファン５１の制御が行われるので、無駄に冷却強度を高めることなく、逆に冷却不足もない適切な冷却制御が実現する。これにより、表示装置１００の寿命および信頼性を高めることができるとともに、冷却に要する電力の無駄な消費を節減することができる。
【００５０】
図５に戻って、冷却用データ比較器３１は、降雨データ、風量データ、および温度データに加えて、風向データをも加味した冷却強度の制御を行うことも可能である。冷却制御回路４１は、本体部１０３の部位によっては風量による冷却効果が風向に依存する事実を考慮して、風量データによる複数のファン５１の制御を、ファン５１ごとに風向データとにもとづいて加減する。例えば、風向データがある範囲内の値であるときには、本体部１０３の右上端部の風量による冷却効果が高く、左下端部の冷却効果が低いことが期待されるならば、右上端部に設置されたファン５１の回転数の風量にもとづく抑制を強め、左下端部に設置されたファン５１の回転数の抑制を弱めるように、制御が行われる。それによって、さらに木目の細かい冷却制御が実現する。
【００５１】
実施の形態２．
図５が示すように、データ比較器３２には、データ変換器２から出力される照度データ、降雨データ、消費電力データ、温度データ、時刻データ、および方角データが入力される。データ比較器３２は、これらの入力データにもとづいて、輝度制御信号１３２を生成する。輝度制御信号１３２の値は、つぎの式２で与えられる。
【００５２】
輝度制御信号＝輝度係数×｛照度データ×降雨データ×外光の影響度（照度、降雨、時刻、方角）｝×リミット係数（消費電力、温度）  ・・・・（式２）
【００５３】
すなわち、輝度用データ比較器３２は、輝度を高くすべき要因である照度データと降雨データとに比例するように輝度制御信号１３２を決定するとともに、輝度低くすべき要因である温度データと消費電力データとのリミッタを付加する。式２において、「リミット係数」とは、消費電力データおよび温度データの組み合わせに対する許容範囲を設定し、その組み合わせが許容範囲を超えたときには、輝度制御信号１３２の値を一定以下に抑える機能、すなわちリミッタ機能を表現したものである。
【００５４】
式２では、さらに照度データ、降雨データ、時刻データ、および方角データの関数として、画面５０への外光の影響度を算出し、この影響度を因子として含むように輝度制御信号１３２の値が決定される。式２において、輝度係数は、あらかじめ定められた定数である。
【００５５】
式２以外の形態を採ることも可能である。例えば、式２をある程度一般化して、照度と降雨量とにともなって輝度を高めると同時に、外光の影響度を考慮するとともに、消費電力および温度によるリミッタも加味した形態が採用可能である。まず、外部の照度上昇にともなって、画面５０の輝度を高くするとともに、降雨量も考慮される。降雨量が高い（すなわち、表示装置１００の外部が大雨と予想される）場合には、画面５０の表面に水滴が付着し、ぎらつく現象が生じ、視聴者が見づらくなるため、画質上、輝度を高くするのが望ましい。逆に、降雨量が低い場合には、降雨量が高い場合ほどには輝度を高くする必要がない。すなわち、輝度制御信号１３２の値は、まず、照度データの増加関数、および降雨データの増加関数として与えられる。
【００５６】
外光の影響度については、例えば晴天の昼間に画面５０の正面から太陽光が照射される場合には、照射光が反射することにより画面５０上の映像が見づらくなるので、輝度を高めるのが望ましい。外光の影響度については、照度、降雨、時刻、および方角を考慮することにより算出可能である。
【００５７】
さらに、表示装置１００の信頼性を確保するために、上記したリミッタも付加されるのが望ましい。あらかじめ設定された表示装置１００の限界消費電力および限界温度と、消費電力データおよび温度データを比較し、消費電力と温度とのいずれかが、それぞれの限界に達したならば、その他のデータにもとづいて輝度を高める必要がある場合においても、他のデータに優先して輝度の上昇を抑えるなどの制御形態が採られる。より一般には、上記したように消費電力と温度との組み合わせに対して許容範囲を設定し、許容範囲を超える場合にリミッタ機能を作動させる制御形態を採ることが可能である。
【００５８】
輝度制御回路４２は、スクリーンコントローラ４２１を備えている。図８は、スクリーンコントローラ４２１の内部構成を示すブロック図である。スクリーンコントローラ４２１は、演算器９を内蔵しており、画面５０に表示すべき輝度を画素ごとに指示する画像信号Ｌ１に対して、輝度制御信号１３２にもとづいて補正を加える。最も簡素には、補正後の信号Ｌ２は、つぎの式３で与えられる。
【００５９】
Ｌ２  ＝  Ｌ１×（輝度制御信号）  ・・・・（式３）
【００６０】
補正後の信号Ｌ２は、駆動信号９４の一つとしての輝度駆動信号として、画面５０へ伝送される。すなわち、輝度制御信号は、画面５０の輝度の画像信号に対する増幅率を加減する信号として用いられる。
【００６１】
以上にのべた本実施の形態の輝度制御によって、視聴者が見易い最適な画質（明るさ）と表示装置１００の信頼性とを確保することができる。また、輝度を高くする必要がない場合には、表示装置１００の負荷を無駄に高めることがないため、消費電力が節減される。
【００６２】
実施の形態３．
図９は、比較器３および制御回路４の中で、画面５０の色度とバナー５３の制御に関する部分の構成例を示すブロック図である。図９が示すように、比較器３は、色度用データ比較器３３およびバナー用データ比較器３４を備えており、制御回路４は、画質制御回路４３を備えている。色度用データ比較器３３は、データ変換器２から出力される照度データ、降雨データ、時刻データ、および方角データにもとづいて、色度制御信号１３３を生成する。色度制御信号１３３の値は、つぎの式４で与えられる。
【００６３】
色度制御信号＝色度係数×外光の影響度（照度、降雨量、時刻、方角）  ・・・・（式４）
【００６４】
すなわち、色度制御信号１３３は、照度、降雨量、時刻、および方角の関数として、画面５０への外光の影響度を算出し、この影響度を因子として含むように色度制御信号１３３を決定する。色度係数は、あらかじめ定められた定数である。外光の影響度については、例えば、晴天（すなわち降雨量がゼロ）であって、照度が高く、時刻が夕方であれば、夕焼けが発生し外界は赤色をおびている状況であると想定される。このときには、外光の影響度は高く設定するのが望ましい。
【００６５】
画質制御回路４３は、スクリーンコントローラ４３１を備えている。スクリーンコントローラ４３１は、色度制御信号１３３が高いときには、表示色を構成する３原色のうち赤色の輝度を９０％の落とすなど原色の間で輝度の割合を変更する。一般に、スクリーンコントローラ４３１は、色度制御信号１３３にもとづいて、色度補正の割合あるいはγ補正の割合を変更する。すなわち、スクリーンコントローラ４３１は、画面５０の輝度を画素ごとおよび原色ごとに指示する画像信号に対する輝度の増幅率の原色間の割合を変更する。その変更の度合いを、色度制御信号１３３に応じて設定する。変更した内容は輝度駆動信号（図８）に反映されて画面５０へ伝えられる。
【００６６】
以上にのべた本実施の形態の色度制御によって、外光の影響による視覚上の画質の変化が抑制され、視聴者が見易い自然な色あいに近い適切な画質での映像表示が可能となる。
【００６７】
実施の形態４．
図９が示すように、バナー用データ比較器３４は、データ変換器２から出力される照度データ、時刻データ、および方角データにもとづいて、バナー制御信号１３４を生成する。バナー制御信号１３４の値は、つぎの式５で与えられる。
【００６８】
バナー制御信号＝バナー係数×外光の影響度（照度、時刻、方角）  ・・・・（式５）
【００６９】
すなわち、バナー制御信号１３４は、照度、時刻、および方角の関数として、画面５０への外光の影響度を算出し、この影響度を因子として含むようにバナー制御信号１３４を決定する。バナー係数は、あらかじめ定められた定数である。
【００７０】
外光の影響度については、例えば、照度データ、時刻データ、および方角データにもとづいて、太陽光の照射角度と強さを把握することができるので、太陽光によってコントラストを悪くしていると予測されるときには、外光の影響度を高く設定すると良い。スクリーンコントローラ４３１は、バナー制御信号１３４が高いほどバナーが長くなるように、バナーを制御する駆動信号を出力する。その結果、画面５０に表示される映像の視覚上の暗輝度を必要に応じて高め、コントラストを向上させることができ、視聴者によって見易い明瞭な映像表示が可能となる。
【００７１】
実施の形態５．
図１０は、比較器３および制御回路４の中で、放映内容と音声の制御に関する部分の構成例を示すブロック図である。図１０が示すように、比較器３は、放映内容用データ比較器３５および音量用データ比較器３６を備えており、制御回路４は、放映内容制御回路４４を備えている。放映内容用データ比較器３５は、データ変換器２から出力される降雨データ、振動データ、気圧データ、および有害ガスデータ、および騒音データにもとづいて、放映内容制御信号１３５を生成する。
【００７２】
放映内容制御信号１３５は、例えば図１１が示すように、降雨データがある閾値未満では"0"（ノーマルレベル）に設定され、閾値以上では"1"（アクティブレベル）に設定される。同様に、環境条件に関するデータの中で、視聴者側のニーズが特に高い情報を表現する振動データ、気圧データ、有害ガスデータ（例えば、排気ガスの濃度を表現する）、または騒音データが、個別に設定される閾値以上となると、対応する放映内容制御信号の値が、ノーマルレベルからアクティブレベルへと遷移する。各閾値は、視聴者のニーズに応じた適切な値に設定される。
【００７３】
放映内容制御回路４４は、割り込み制御プログラムが格納された記憶媒体４４１と、ＣＰＵ４４２とを備えている。放映内容制御回路４４の動作は、図１２に詳細に描かれている。図１２が示すように、記憶媒体４４１には、放映内容制御信号がアクティブであるときに、一定時間間隔で割り込み制御を行うインターバル割り込み制御プログラム４４３と、放映内容制御信号がアクティブとなった時点で瞬時に割り込み制御を行う瞬時割り込み制御プログラム４４４とが格納されている。
【００７４】
ＣＰＵ４４２は、表示制御用ＣＰＵ４４５と描画処理用ＣＰＵ４４６とを備えている。表示制御用ＣＰＵ４４５は、放映内容制御信号１３５の中で降雨データ、気圧データ、排気ガスデータ、音声データに対応した信号を、例えばポーリング動作によって一定時間間隔で読み込む。その際、読み込んだ信号の中で、１つでも値が"1"（アクティブ）であるものが有れば、インターバル割込み制御プログラム４４３を、読み込みスケジュールへ割り込ませる。
【００７５】
インターバル割り込み制御プログラム４４３にもとづく割り込み処理では、例えばインタネット上から気象情報に関する映像（気象映像と表記する）が読み込まれ、排気ガスデータおよび音声データが、レベル表示用のデータ（レベルデータと表記する）へ変換される。これらの気象映像およびレベルデータは、描画処理用ＣＰＵ４４６へ入力され、例えば、“降水確率８５％“などの効果映像が作成される。効果映像は、一定時間間隔で、例えば画面５０の下の部分に表示される。データを読み込む時間間隔、および効果映像の表示形態は、様々に設定可能である。
【００７６】
振動に関する情報は、特に視聴者のニーズが高いため、放映内容制御信号１３５の中で振動データに対応する信号がアクティブになると、表示制御用ＣＰＵ４４５は、瞬時割り込み制御プログラム４４４を直ちに読み込み、瞬時割り込み制御プログラム４４４にもとづく割り込み処理を実行する。その結果、地震等に関する映像、および振動データにもとづく震度情報が、画面５０に放映される。
【００７７】
以上にのべた本実施の形態の放映内容の制御によって、「雨が降る」あるいは地震発生などの環境条件の異変に応じて、当該異変の内容に適合した視聴者のニーズの高い映像情報が適切かつ自動的に提供される。すなわち、付加価値のある映像表示が可能となる。
【００７８】
実施の形態６．
図１０に戻って、音量用データ比較器３６は、データ変換器２から出力される騒音データにもとづいて、音量制御信号１３６を生成する。放映内容制御回路４４は、音声信号を増幅してスピーカ５５へ出力するアンプ制御回路４４３をさらに備えている。音量制御信号１３６は、アンプ制御回路４４３の増幅率（アンプ増幅率を表記する）を制御する。すなわち、アンプ増幅率はつぎの式６で与えられる。
【００７９】
アンプ増幅率＝アンプ係数×音量制御信号  ・・・・（式６）
【００８０】
アンプ係数は、あらかじめ定められた定数である。音量制御信号１３６は、一般に騒音データの増加関数として決定される。その結果、外界の騒音が大きい場合にはスピーカ５５からの音声の音量が高められ、逆に外界の騒音が小さい場合には、音声の音量が低く抑えられる。これにより、騒音の影響を抑えて、聞き取り易い音声を視聴者へ提供することが可能となる。
【００８１】
また、表示装置１００が設置される環境によって、例えば表示装置１００の左右両側での騒音の強さが極端に異なる場合は、表示装置１００内に複数個設置した騒音センサーを通じて得られる複数の音声データを総合することによって、音量を制御することでより細やかな制御ができる。また、スピーカ５５を複数箇所へ設置して、騒音の強度分布に応じて個別に音量を制御することも可能である。
【００８２】
【発明の効果】
第１の発明の表示制御装置では、環境条件に関する複数種類のデータの組み合わせにもとづいて、表示装置の動作条件が制御されるので、複雑な環境条件に適合した表示装置の動作が実現する。更に、冷却強度が、画面の輝度の増幅率、ならびに環境条件としての温度、降雨量および風量の適当な関数として設定されるので、環境条件のみならず動作条件にも適応した適切な冷却強度が得られる。同時に、冷却に要する電力の無駄な消費を節減することができる。
【００８９】
第２の発明の表示制御装置では、冷却強度が、風向の影響を考慮して、表示装置の部位ごとに設定されるので、さらに木目の細かい適切な冷却強度が得られる。
【００９０】
第３の発明の表示制御装置では、画面の輝度の増幅率が、照度および降雨量の適切な関数として設定されるので、環境条件に適応した輝度が得られる。同時に、映像の表示に要する電力の無駄な消費を節減することができる。
【００９１】
第４の発明の表示制御装置では、画面の輝度の増幅率が、時刻および方角をも考慮して設定されるので、環境条件にさらに適応した輝度が得られる。
【００９２】
第５の発明の表示制御装置では、画面の輝度の増幅率に対して、消費電力および温度によるリミッタ機能が作用するので、表示装置への過負荷を防止することができる。それにより、表示装置の信頼性および寿命が向上する。
【００９３】
第６の発明の表示制御装置では、画面の色度が、照度、降雨量、時刻および方角に依存する外光の影響度を考慮して設定されるので、外光の影響による視覚上の画質の変化が抑制され、視聴者が見易い自然な色あいに近い適切な画質での映像の表示が実現する。
【００９４】
第７の発明の表示制御装置では、バナーの長さが、照度、時刻、および方角に依存する外光の影響度を考慮して設定されるので、環境条件に木目細かく適応したバナーの動作が実現する。すなわち、環境条件の変化の中でも、視聴者の視覚に適切に情報を伝えることが可能である。
【００９６】
第８の発明の表示装置では、本発明の表示制御装置を備えるので、環境条件に適合した動作が実現する。
【図面の簡単な説明】
【図１】  本実施の形態による表示装置のブロック図である。
【図２】  本実施の形態による各センサーの配置図である。
【図３】  本実施の形態による装置の動作説明図である。
【図４】  本実施の形態による装置の動作説明図である。
【図５】  実施の形態１による装置の一部を示すブロック図である。
【図６】  実施の形態１による装置の一部を示すブロック図である。
【図７】  実施の形態１による装置の一部を示す回路図である。
【図８】  実施の形態２による装置の一部を示すブロック図である。
【図９】  実施の形態３，４による装置の一部を示すブロック図である。
【図１０】  実施の形態５，６による装置の一部を示すブロック図である。
【図１１】  実施の形態５による装置の動作説明図である。
【図１２】  実施の形態５による装置の一部を示すブロック図である。
【符号の説明】
１００  表示装置、１０１  表示制御装置、１０２  制御部、１０３  表示装置本体部、１１１〜１２２  センサー。
【図１】
0003714856.tif 000002
【図２】
0003714856.tif 000003
【図３】
0003714856.tif 000004
【図４】
0003714856.tif 000005
【図５】
0003714856.tif 000006
【図６】
0003714856.tif 000007
【図７】
0003714856.tif 000008
【図８】
0003714856.tif 000009
【図９】
0003714856.tif 000010
【図１０】
0003714856.tif 000011
【図１１】
0003714856.tif 000012
【図１２】
0003714856.tif 000013